(57)【要約】【課題】花によって人の肌を直接装飾することができる装飾具を提供する。【解決手段】人の肌を装飾する装飾具であって、人の肌に着脱可能に張り付けられるベースシート２と、ベースシート２に設けられる装飾部３と、を備えており、ベースシート２は、一の面に、ベースシート２を人の肌に貼りつける接着層を有する貼付面２ｂが形成されており、他の面に、装飾部３が設けられる装飾面２ｃが形成されており、装飾部３が、花の花弁１１を有する装飾花を有している。ベースシート２の貼付面２ｂを人の肌に貼りつければ、花の花弁１１を有する装飾花１０によって人の肌を装飾することができる。しかも、装飾花１０が直接人の肌に取り付けられているように見えるので、人の肌を非常に特徴的かつ綺麗に装飾することができる。【選択図】図１
0003196185.tif 000002
【実用新案登録請求の範囲】
【請求項１】
人の肌を装飾する装飾具であって、
人の肌に着脱可能に張り付けられるベースシートと、
該ベースシートに設けられる装飾部と、を備えており、
前記ベースシートは、
一の面に、該ベースシートを人の肌に貼りつける接着層を有する貼付面が形成されており、
他の面に、前記装飾部が設けられる装飾面が形成されており、
該装飾部が、
花の花弁を有する装飾花を備えている
ことを特徴とする装飾具。
【請求項２】
前記装飾部の装飾花は、
前記装飾面に複数枚の花弁を張り付けて形成されたものである
ことを特徴とする請求項１記載の装飾具。
【請求項３】
前記装飾部の装飾花は、
複数枚の花弁からなる層を複数層備えている
ことを特徴とする請求項２記載の装飾具。
【請求項４】
前記装飾部は、
複数枚の花弁の間に配置された装飾部材を備えている
ことを特徴とする請求項２または３記載の装飾具。
【考案の詳細な説明】
【技術分野】
【０００１】
本考案は、装飾具に関する。さらに詳しくは、人の肌を花で装飾する装飾具に関する。
【背景技術】
【０００２】
従来、結婚式やパーティ、舞台などでは、衣服や人そのものを美しく見せるために、様々な装飾具が身に着けられる。例えば、ブローチ等は衣服に取り付けて、その衣服および衣服を着ている人を装飾するために使用される。また、ピアスや指輪、ネックレスなどは、人が直接身に着けて人を装飾する。
【０００３】
一方、人の体（肌）を直接装飾する方法としては、マニキュアや口紅などを挙げられるが、ボディジュエリーのように、直接人の肌に装飾を施す装飾方法も開発されている。ボディジュエリーは、肌用の特殊なグルー（接着のり）を使用して、グリッターを肩や腕などに施して（接着して）、様々なデザインを肌に施すものである。このボディジュエリーでは、デザインを施す場所やデザインの形状が自由に選択できるので、従来の装飾具などと比べて、個人の嗜好にあった特徴的な装飾ができる。
【０００４】
一方で、ボディジュエリーは、肌に直接グルーでグリッターを貼りつけるため、一定期間は肌についた状態のままとなる。服装によっては、ボディジュエリーが合わない場合もあるが、その場合には、ボディジュエリーを落とさなければならず、一旦落としてしまえば、再利用することはできない。
【０００５】
そこで、必要なときにのみ肌に取り付けて使用できるようにしたボディジュエリーが開発されている（特許文献１）。
特許文献１には、所定のデザイン形状を有する粘着性ゲルフィルムと、この粘着性ゲルフィルムと同じ所定のデザイン形状を有し粘着性ゲルフィルムの他方の粘着面と接着される樹脂基板と、この樹脂基板の他方の粘着層に接着される複数の装飾片から形成される装飾層と、を備えた装飾具が開示されている。この装飾具では、粘着性ゲルフィルムが人物の皮膚に対して無害のゲル状の材料で形成されており、一方の粘着面が対象物に対して、引き剥がし可能な貼付面となるように形成されている。このため、粘着性ゲルフィルムを人の肌に貼りつければ装飾具によって人の肌を装飾することができるし、粘着性ゲルフィルムを剥がせば、人の肌から装飾具を剥がすことができる。つまり、装飾具を、何回も人の肌から着脱して使用できるのである。
【先行技術文献】
【特許文献】
【０００６】
【特許文献１】特許第５３００９３３号
【考案の概要】
【考案が解決しようとする課題】
【０００７】
ところで、服などを装飾するものとして、花を使用することがある。例えば、生花やプリザーブドフラワー、リアルフラワー等の花が使用される。これらの花は非常に見栄えがよく装飾品としても好んで使用される。
しかし、花は、服に挿したり髪に挿したりして装飾に使用されるものの、人の体に直接取り付けて装飾に使用された例はない。
もし、花を人の肌に直接取り付けて、花によって人の肌を装飾することができれば、装飾の幅が広がりより個性的な装飾を行うことができるので、望ましい。
【０００８】
本考案は上記事情に鑑み、花によって人の肌を直接装飾することができる装飾具を提供することを目的とする。
【課題を解決するための手段】
【０００９】
（装飾具）
第１考案の装飾具は、人の肌を装飾する装飾具であって、人の肌に着脱可能に張り付けられるベースシートと、該ベースシートに設けられる装飾部と、を備えており、前記ベースシートは、一の面に、該ベースシートを人の肌に貼りつける接着層を有する貼付面が形成されており、他の面に、前記装飾部が設けられる装飾面が形成されており、該装飾部が、花の花弁を有する装飾花を備えていることを特徴とする。
第２考案の装飾具は、第１考案において、前記装飾部の装飾花は、前記装飾面に複数枚の花弁を張り付けて形成されたものであることを特徴とする。
第３考案の装飾具は、第２考案において、前記装飾部の装飾花は、複数枚の花弁からなる層を複数層備えていることを特徴とする。
第４考案の装飾具は、第２または第３考案において、前記装飾部は、複数枚の花弁の間に配置された装飾部材を備えていることを特徴とする。
【考案の効果】
【００１０】
（装飾具）
第１考案によれば、ベースシートの貼付面を人の肌に貼りつければ、花の花弁を有する装飾花によって人の肌を装飾することができる。しかも、花が直接人の肌に取り付けられているように見えるので、人の肌を非常に特徴的かつ綺麗に装飾することができる。
第２考案によれば、装飾花を人の肌の装飾に適した形状にできる。すると、花をそのままベースシートに貼りつけた場合に比べて、人の肌に貼りつけたときに、人の肌との一体感があるように見える。
第３考案によれば、人の肌との一体感を維持しつつ、装飾花に立体感を持たせることができるので、装飾具を豪華にすることができる。
第４考案によれば、装飾をより豪華にかつ特徴的なものとすることができる。
【図面の簡単な説明】
【００１１】
【図１】（Ａ）は本実施形態の装飾具１を人の肌に貼り付けた状態の概略説明図であり、（Ｂ）は本実施形態の装飾具１の部分拡大断面図である。
【図２】本実施形態の装飾具１を製造する工程の概略説明図である。
【図３】本実施形態の装飾具１の一例を示した写真である。
【図４】本実施形態の装飾具１の一例を示した写真である。
【考案を実施するための形態】
【００１２】
本考案の装飾具は、人の肌に直接貼り付けて人の肌を装飾できる装飾具であって、花の花弁を有する装飾花によって人の肌を装飾するようにしたことに特徴を有している。
【００１３】
本考案の装飾具は、人の肌で貼りつけるものであるが、貼りつけられる場所はとくに限定されない。例えば、人の肩の正面の部分（デコルテ）や腕に貼り付けて使用することができる。
また、本考案の装飾具の形状（全体形状やベースプレート形状）もとくに限定されず、人の肌において貼りつける場所や用途に応じて適切な形状とすればよい。
【００１４】
本考案において、装飾花の素材となる花には、生花やプリザーブドフラワー、リアルフラワー等を使用することができる。装飾花の素材として生花を使用した場合、装飾具を使用できる時間は短くなる可能性はあるが、生花のみずみずしさによって装飾具による装飾効果を高めることができる。また、プリザーブドフラワー、リアルフラワー等を使用した場合には、期間繰り返し装飾具を使用できるという利点が得られる。
以下の説明では、装飾花の素材となる花について、花という場合には、生花、プリザーブドフラワー、リアルフラワー等の全てを含んでいる。
【００１５】
さらに、装飾花の素材となる花もとくに限定されず、本考案の装飾具を使用する用途や貼り付ける位置に応じて適宜選択すればよい。例えば、結婚式において、装飾具を新婦の肩の正面の部分に貼り付けて使用する場合であれば、花としてバラやアルメリア等を使用することが好ましい。また、パーティの場面で使用する場合において、体のデコルテに貼り付ける装飾具の場合には、ひなげし等を使用することが好ましい。さらに、パーティや舞台において、体のデコルテや腕に貼り付ける装飾具の場合には、シフォンやベルベットを素材として形成されたバラ等を使用することが好ましい。
【００１６】
（装飾具１）
図１に示すように、本実施形態の装飾具１は、ベースシート２と、このベースシート２に設けられた装飾部３と、を備えている。そして、装飾部３に、装飾花１０を備えている点に特徴を有している。
【００１７】
（ベースシート２）
まず、ベースシート２は、シート状の部材である本体部２ａを備えている。この本体部２ａは、柔軟性を有する素材によって形成されている。例えば、本体部２ａは、ゲルシートやシリコンシートによって形成されたシートであって、厚さ約０．１〜０．５ｍｍに形成されたものである。具体的には、ＩＳＯ１０９９３で認可されたゲルシート等を本体部２ａとして使用することができる。
【００１８】
なお、本体部２ａの厚さはとくに限定されないが、約０．３ｍｍに形成すれば、装飾具１を人の肌に貼り付けたときに、装飾部３と人の肌との一体感がよくなるという利点が得られる。
【００１９】
ベースシート２の本体部２ａは、その一面に貼付面２ｂを備えている。この貼付面２ｂは、装飾具１を人の肌に取り付ける際に、人の肌に密着させる面である。ゲルシートやシリコンシートは、ある程度の粘着力を有しているので、貼付面２ｂを人の肌に密着させれば、ベースシート２を人の肌に密着した状態で貼りつけることができるし、ベースシート２を人の肌から剥がすことができる。つまり、ベースシート２を人の肌に着脱することができる。
【００２０】
ベースシート２の本体部２ａの他の面（装飾面２ｃ）には、装飾部３が設けられている。この装飾部３は、光沢部材４と、装飾花１０と、を備えている。
【００２１】
光沢部材４は、ベースシート２の本体部２ａの装飾面２ｃに接着剤などで張り付けられた部材である。この光沢部材４は、ガラスやガラスストーンやラメグリッター等の粉体や粒子等である。この光沢部材４がベースシート２の本体部２ａの他の面に貼り付けられていれば、ベースシート２に光が当たれば、光沢部材４が光を反射して輝くので、装飾具１の見栄えが良くなる。
【００２２】
そして、ベースシート２の本体部２ａの装飾面２ｃには、光沢部材４に加えて、装飾花１０が貼り付けられている。この装飾花１０は、接着剤などによって、ベースシート２の本体部２ａの装飾面２ｃに直接取り付けられている。そして、装飾花１０は、ベースシート２を人の肌に取り付けると、装飾花１０が人の肌と一体化しているかのように見えるように設けられている。
【００２３】
具体的には、装飾花１０は、花を分解した個々の花弁１１を、一つずつベースシート２の本体部２ａに貼り付けて、花の形状としたものである。例えば、複数枚の花弁１１を、その基端が略円形や楕円形に並ぶようにベースシート２の本体部２ａの他の面に並べて（図２（Ａ）、（Ｂ）参照）、第一層を形成する。ついで、第一層の上に、複数枚の花弁１１を、その基端が略円形や楕円形に並べて（図２（Ｃ）参照）、第二層を形成する。この第二層の花弁１１は、第一層を形成した花弁１１よりも小さい（長さが短い）ものを使用する。さらに、第二層の上に、複数枚の花弁１１を、その基端が略円形や楕円形に並べて、第三層を形成する。この第三層の花弁１１は、第二層を形成した花弁１１よりも小さい（長さが短い）ものを使用する。このようにして、花弁１１によって複数層の装飾花１０を形成すれば、立体感のある装飾花１０をベースシート２の本体部２ａ上に形成することができる。
【００２４】
以上のような構成であるので、本実施形態の装飾具１は、ベースシート２の貼付面２ｂを人の肌に貼りつければ、装飾花１０を有する装飾部３によって人の肌を装飾することができる。つまり、装飾花１０によって、直接人の肌を装飾することができるので、従来にない形で人の肌を装飾できる。すると、人の肌をこれまでにない外観で装飾することができるので、装飾の幅が広がりより個性的な装飾を行うことができる。
【００２５】
なお、上述した例では、装飾花１０を分解した花弁１１をベースシート２の本体部２ａに貼り付けて装飾花１０を形成した。しかし、既存の花をそのまま装飾花１０として、ベースシート２の本体部２ａの装飾面２ｃに貼り付けてもよい。しかし、上述したように、分解した花弁１１を貼りつけて装飾花１０を形成するようにすれば、形成された装飾花１０のボリュームや形状を、人の体の形状やベースシート２の形状に合わせることができる。すると、装飾具１を人の肌に貼り付けた際に、装飾花１０と人の肌との一体感を持たせることができる。そして、花弁１１を複数層重ねて装飾花１０を形成すれば、装飾花１０と人の肌との一体感を維持しつつ、装飾花１０に立体感を持たせることができるので、装飾具１を豪華にすることができる。
【００２６】
また、花弁１１を複数層重ねる際に、元の花と同じ順序で花弁１１を並べてもよいし、花弁１１の並びや間隔などが元の花と若干異なるように配置してもよい。つまり、人の肌との一体感が出るように配置できれば、花弁１１の配置は元の花の形状としてもよいし、元の花の形状から変化させてもよい。
そして、一つの花の花弁１１だけなく、複数の花の花弁１１を使用して装飾花１０を形成してもよい。この場合には、現実の花では存在しない色合いや形の装飾花１０を形成することもできるので、装飾具１を使用する人の個性や好みに合わせたものとすることができる。
【００２７】
さらに、花弁１１を複数層重ねる際に、リボンやスパンコール、レースなどの装飾部材１２を間に配置してもよい。この場合、装飾花１０に装飾部材１２が埋め込まれたような状態とすることができるので、装飾花１０による装飾をより豪華にかつ特徴的なものとすることができる。
【００２８】
（装飾具１の製造方法）
つぎに、本実施形態の装飾具１の製造方法を説明する。
ます、所定の素材からなるシート状部材から、所定の形状のベースシート２を形成する。そして、装飾花１０の素材となる花弁１１を、花を分解して形成する。
【００２９】
ついで、ベースシート２の装飾面２ｃに光沢部材４を貼りつける。このとき、光沢部材４は、装飾花１０が貼り付けられる部分を空いた状態になるように、装飾面２ｃに配置される（図２（Ａ）参照）。
【００３０】
光沢部材４を貼りつけると、装飾花１０をベースシート２の装飾面２ｃに形成する（図２（Ａ）〜（Ｄ）参照）。このとき、花弁１１からなる複数の層が形成されるように、装飾面２ｃに花弁１１を貼り付ける。また、必要に応じて、花弁１１間や花弁１１からなる層の間に装飾部材１２を配置する。
【００３１】
そして、複数の花弁１１からなる層によって所定の形状の装飾花１０が形成されると、装飾花１０の中心に花弁１１の端部が見えないように光沢部材４等を配置すると、本実施形態の装飾具１が完成する（図２（Ｄ）参照）。
【００３２】
なお、本実施形態の装飾具１では、本体部２ａを構成するシート状部材として、ゲルシートやシリコンシートを使用している。上述したように、これらのシートは粘着力を有しているので、上記工程で完成した装飾具１をそのまま人の肌に貼り付けることができる。
【産業上の利用可能性】
【００３３】
本考案の装飾具は、結婚式やパーティや舞台において使用する装飾具に適している。
【符号の説明】
【００３４】
１      装飾具
２      ベースシート
３      装飾部
１０      装飾花
１１      花弁
１２      装飾部材
【図１】
0003196185.tif 000003
【図２】
0003196185.tif 000004
【図３】
0003196185.tif 000005
【図４】
0003196185.tif 000006